(57)【特許請求の範囲】
【請求項１】
エレベータかご昇降用の既設ロープを新ロープに取り替える方法において、
エレベータ使用時に所定の位置に取付られた前記既設ロープのそれぞれの端部を当該所定の位置から取り外す工程と、
前記取り外されたそれぞれの端部を互いに連絡し、前記既設ロープを環状に形成する工程と、
所要の位置に配置されたロープ案内手段に沿って、環状に形成した当該既設ロープを移動させる工程と、
移動させた当該既設ロープを少なくとも一個所、所望の位置にて切り離し、既設ロープの環状状態を解除する工程と、
所望の位置にて切り離された当該既設ロープの一端に前記新ロープの一端部を接続する工程と、
所望の位置にて切り離された当該既設ロープの他端側から当該既設ロープを回収する工程と、
を含むことを特徴とするエレベータロープ取り替え方法。
【請求項２】
請求項１記載のロープ取り替え方法において、
前記既設ロープが回収された後、前記新ロープの前記一端部と前記新ロープの他端部とを連絡し、前記新ロープを環状に形成する工程と、
所要の位置に配置されたロープ案内手段に沿って、環状に形成した当該新ロープを移動させる工程と、
移動させた前記新ロープを少なくとも一個所、所望の位置にて切り離し、当該新ロープの環状状態を解除する工程と、
所望の位置にて切り離した当該新ロープの両端部のそれぞれを前記所定の位置に取り付ける工程と、
を含むことを特徴とするエレベータロープ取り替え方法。
【請求項３】
請求項１記載のロープ取り替え方法において、
前記既設ロープと前記新ロープを取り替える際に、前記エレベータかご及び釣り合い重りをそれぞれ所要の位置に固定する工程を含むことを特徴とするエレベータロープ取り替え方法。
【発明の詳細な説明】
【０００１】
【発明の属する技術分野】
本発明はエレベータかご昇降用のロープの取り替え方法に関し、特にロープを環状に形成し、環状に形成したロープを移動させることによりロープを取り替える方法に関する。
【０００２】
【従来の技術】
従来のエレベータかご昇降用ロープを取り替える方法について、ロープの一端がエレベータかごに取り付けられ、他端が釣り合い重りに取り付けられた、いわゆる１：１ローピングエレベータを例にとって説明する。
【０００３】
まず、エレベータかごを昇降路の最上階付近の位置に、また、釣り合い重りを昇降路最下階付近の位置に固定する。その状態で、既設ロープの一端部をエレベータかごから取り外し新ロープの端部に接続する。新ロープは最上階またはその付近の階に設けられたロープ供給器から送り出される。一方、既設ロープの他端部は釣り合い重りから取り外され、昇降路下方に設けられたロープ巻き取り装置に接続される。ロープ供給器により新ロープを順に昇降路下方へ送り出すとともに、ロープ巻き取り装置により既設ロープを回収する。既設ロープの回収後、新ロープの端部を接続されていた既設ロープより取り外し、釣り合い重りに接続する。一方、ロープ供給装置から取り外した新ロープの他端部をエレベータかごに取り付ける。
【０００４】
上記方法では、新ロープの供給場所と既設ロープの回収場所が、昇降路上部の階床と昇降路下方の階床と離れているので、ロープの自重によりロープが落下しやすいという問題があった。又、落下しないまでもロープ送りの際にロープを保持しながら誘導することに労力を要するという問題があった。
【０００５】
【発明が解決しようとする課題】
前述の問題を解決するため、例えば特開平３−１０６７８０号公報、特開平２−１１７５８１号公報、及び特開平１−１８１６８９号公報等に開示されているように、取り替え作業中のロープを保持する保持装置を設けて、前述のロープ落下を防ぐ方法が知られている。
【０００６】
しかしながら、上記のロープ取り替え方法においても、既設ロープを回収する場所と新ロープを供給する場所が依然として離れていることから、既設ロープを回収する作業者と新ロープを供給する作業者との間の連絡が取りづらいという問題があった。また、取り替え作業中にロープが保持されてるとはいえ、昇降路が長い場合には、ロープ保持作業等にも大変な労力が伴う。さらに、このような方法では、ロープ一本ごとの取り替えとなり、ロープが複数ある場合はそれだけ作業にも時間がかかるといった問題があった。
【０００７】
本発明は上記課題に鑑みてなされたものであり、その目的は新ロープ供給及び旧ロープ回収作業に伴う負担を少なくして、取り替え作業を容易にするロープ取り替え方法を提供することにある。
【０００８】
【課題を解決するための手段】
上記目的を達成するために、本発明に係るエレベータかご昇降用の既設ロープを新ロープに取り替える方法は、エレベータ使用時に所定の位置に取付られた前記既設ロープのそれぞれの端部を当該所定の位置から取り外す工程と、前記取り外されたそれぞれの端部を互いに連絡し、前記既設ロープを環状に形成する工程と、所要の位置に配置されたロープ案内手段に沿って、環状に形成した当該既設ロープを移動させる工程と、移動させた当該既設ロープを少なくとも一個所、所望の位置にて切り離し、既設ロープの環状状態を解除する工程と、所望の位置にて切り離された当該既設ロープの一端に前記新ロープの一端部を接続する工程と、所望の位置にて切り離された当該既設ロープの他端側から当該既設ロープを回収する工程と、を含むことを特徴とする。
【０００９】
上記方法によれば、既設ロープの両端部を連絡し、既設ロープを環状に形成するので、環状状態を解除する場所を任意に選ぶことができ、その場所にて新ロープの供給作業と既設ロープの回収作業を行うことができる。新ロープ供給作業を行う場所と既設ロープ回収作業を行う場所が近いので、作業者同士の連絡が取り易く、また、作業場所の高低差も大きくないので、ロープの自重による取り替え作業の不安定さを軽減できる。また、作業場所を最下階付近に選べば作業者の精神的負担も軽くなる。
【００１０】
また、前述したように、既設ロープは環状に形成されており、ロープ案内手段に沿って移動することができる。既設ロープの両端部が連絡される部分及び既設ロープと新設ロープとの接続部が増えるとそれだけ接続作業に要する時間も増えるため、できるだけその数は少ないほうがよい。したがって、既設ロープの環状状態を解除する場所を新たに設けるよりは、既設ロープの両端部を作業位置まで移動させて、そこで環状状態を解除するのが望ましい。こうすれば、ロープの取り替え作業、特に既設ロープの回収、新ロープの供給を円滑に行うことができる。
【００１１】
ここで、既設ロープを環状に形成するに際し、両端部を直接接続するようにしてもよいし、また両端部間をさらにロープにより中継するようにしてもよい。また、ロープ案内手段は例えば、エレベータ昇降時に既に設けられている滑車等であるが、ロープを取り替える際、新たに設ける補助的な滑車等も含む。エレベータ使用時に既設ロープのそれぞれの端部は、例えば１：１ローピングエレベータの場合は乗りかご、及び釣り合い重りに取り付けられており、また２：１ローピングエレベータの場合は、エレベータ昇降路内、又は上部機械室内に設けられた梁等に取り付けられている。
【００１２】
望ましくは、前記既設ロープが回収された後、前記新ロープの前記一端部と前記新ロープの他端部とを連絡し、前記新ロープを環状に形成する工程と、所要の位置に配置されたロープ案内手段に沿って、環状に形成した当該新ロープを移動させる工程と、移動させた前記新ロープを少なくとも一個所、所望の位置にて切り離し、当該新ロープの環状状態を解除する工程と、所望の位置にて切り離した当該新ロープの両端部のそれぞれを前記所定の位置に取り付ける工程と、を含む。
【００１３】
上記の方法によれば、まず、新設ロープの両端部を連絡し、新設ロープを環状に形成する。次に、環状に形成した新設ロープを前記案内手段に沿って移動させることにより、前記両端部を前記所定の位置付近に移動することができる。その後、前記両端部の連絡を解除し、それぞれの端部を前記所定の位置に取り付けてロープの取り替え作業が完了する。
【００１４】
前述したように、新設ロープの両端部を前記所定の位置に移動できるので、新設ロープの両端部を連絡する作業場所は、新設ロープの両端部を取り付ける場所には左右されず、選ぶことができる。
【００１５】
望ましくは、前記既設ロープと前記新ロープを取り替える際に、前記所定の位置付近に移動することができるエレベータかご及び釣り合い重りをそれぞれ所要の位置に固定する工程を含む。
【００１６】
【発明の実施の形態】
以下図面にしたがって本発明の実施の形態を説明する。
【００１７】
（１）第一の実施の形態
図１は本発明の第一の実施の形態に係るエレベータロープ取り替え方法を適用する２：１ローピングエレベータかご装置１０におけるローピングの構成を概念的に示した図である。
【００１８】
エレベータかご装置１０は、昇降路１２内に設けられたエレベータかご１４、釣り合い重り１６、ロープ１８、及びエレベータ最下階１９の下方に設けられたエレベータピット２０内に備えられた巻上げ機２２、を含んで構成される。エレベータ使用時にロープの両端部２４，２６は昇降路１２上方に設けられる梁２８，３０にそれぞれ取り付けられ固定される。エレベータかご１４の床下にはそらせ車３２，３４が設けられており、また、釣り合い重り１６は滑車３６を備えている。
【００１９】
ロープ１８は、その一方の端部２４が取り付けられた梁２８からエレベータかご１４の側方を通って、そらせ車３４に巻き掛けられた後、そらせ車３２へ渡し掛けられ、エレベータかご１４のもう一方の側方を通って、昇降路１２上方に設けられた滑車３７に巻き掛けられる。その後、下方に運ばれ、巻上げ機２２のシーブ３８に巻き掛けられた後、再び上方に運ばれる。上方に運ばれたロープ１８はエレベータ最高階４０付近、巻上げ機２２の上方に設けられた滑車４２により転向されて釣り合い重り１６上方付近まで運ばれ、滑車４４により再び下方に運ばれる。下方に運ばれた後、釣り合い重り１６に備えられた滑車３６に巻き掛けられ、再度上方に運ばれた後、昇降路１２上方に設けられた梁３０に他方の端部２６が取り付けられる。
【００２０】
ロープ両端部２４，２６はソケット（図示せず）を介して接続されたロッド４６，４８をそれぞれ含んでおり、ロッド４６，４８を保持することによりロープ両端部２４，２６をそれぞれ梁２８，３０に取り付ける。
【００２１】
次に、ロープ１８の取り替え作業を図１〜図５にしたがって説明する。尚、図１〜図５に共通する構成については同一番号を付す。
【００２２】
まず、図１に示すように、釣り合い重り１６を釣り合い重り押え５０、例えば角材等により構成される釣り合い重り支持具、に固定した後、エレベータかご１４を最上階４０付近にてチェーンブロック（図示せず）等で吊り上げて保持する。こうすれば、既設ロープ１８は緩みが生じた状態となる。
【００２３】
次に、図２に示すように、この状態で梁４６，４８の下方にそれぞれロープ保持具５２，５４を設け、ロープ保持具には例えばロープ吊り下げチャック等が使用される。ロープ保持具５２の一端はエレベータかご１４のガイドレール（図示せず）に固定され、ロープ端部２４の下方をそれぞれ保持する。ロープ保持具５４の一端は釣り合い重り１６のガイドレール（図示せず）に固定され、他端はロープ端部２６の下方を保持する。この状態で、梁２８，３０の下方において既設ロープ１８の両端部２４，２６（図２中Ａ、Ａ’を参照）をそれぞれ切断して梁２８，３０から取り外す。その後、取り外された既設ローブ１８の両端部２４，２６を必要に応じてダミーロープ５６にて中継し互いに連絡し、既設ロープ１８を環状に形成する。ここで６２は既設ロープの端部２４とダミーロープの端部５８との接続部であり、６４は既設ロープの端部２６とダミーロープの端部６０との接続部である。さらに、連絡したロープ下方に、補助的な滑車６６，６８をたとえば昇降路１２内の梁（図示せず）へ玉掛けロープ（図示せず）を介して取り付ける。
【００２４】
ここで、ロープ間の接続方式としては例えばロープの編み込み固着によるロープ接続方式、ロープストランド接続方式、タフエクセルグリップを使用した接続方式等を採用する。
【００２５】
次に、図３に示すように、人手を介してロープを誘導し、ロープの接続部６２，６４を最下階１９付近に移動させる（図２中の矢印、及び図３中、一点鎖線参照）。環状状態の既設ロープ１８は、エレベータかご昇降使用時に用いられる滑車３７，４２，４４、巻上げ機のシーブ３８、補助的に設けられた滑車６６，６８等に案内されながら移動する。
【００２６】
接続部６２，６４を最下階１９付近に移動した後、接続部６２を切り離して既設ロープ１８の環状状態を解除し、切り離された既設ロープの端部２４を最下階１９に設置したドラム７０に取り付ける。一方、接続部６４も切り離して、既設ロープの他端部２６と新ロープ７２の一端部７４を前述の接続方法のいずれかにて接続する。ドラム７８には新ロープ７２が予め巻かれている。ここで７６は既設ロープの他端部２６と新ロープ７２の一端部７４との接続部である。この状態で、人手を介して、ドラム７８より新ロープを供給しつつ、既設ロープ１８を端部２４側からドラム７０に巻き取り回収する（図３中、矢印参照）。
【００２７】
図４に示すように、既設ロープ１８の回収終了後、接続部７６にて既設ロープ１８を新ロープ７２から切り離す。一方、ドラム７８側にある新ロープを所望の位置にてドラム７８に巻かれている新ロープ７２をドラム７８から切り離し、切り離された新ロープの端部８０と一端部７４とを前述の接続方法にて接続し、新ロープ７２を環状に形成する（図４中、一点鎖線参照）。なお、８２は新ロープの両端部７４，８０の接続部の番号である。
【００２８】
次に、新ロープ７２の接続部８２を昇降路上方の梁２８，３０付近に人手を介して移動させる。環状状態の新ロープ７２は、前述したようにエレベータかご１４昇降使用時に用いられる滑車３７，４２，４４、及び補助的に設けられた滑車６６，６８等に案内されながら移動する。
【００２９】
図５に示すように、接続部８２が移動された後（図５中、一点鎖線参照）、ロープ保持具により、梁２８，３０下方において、新ロープ７２を保持する。新ロープ７２を接続部８２により切り離して、環状状態を解除する。環状状態を解除した新ロープの一方の端部８４にソケットを介してロッド８６を取り付ける加工処理を施す（図示せず）。その後、ロッド８６を梁２８に固定して新ロープ７２の端部８４に取り付ける。新ロープの全長を使用時の長さに適宜調整した後、他方の端部８８に関しても、端部８４と同様の加工処理を施しロッド９０を梁３０に固定して端部８８を取り付ける。
【００３０】
最後に、ロープ保持具５２，５４、及び滑車６６，６８を取り外し、チェーンブロックによるエレベータのりかごの釣り上げを解除し、釣り合いおもり押えによる釣り合い重り１６の固定を解除してロープ取り替えの工程が終了する。
【００３１】
このように既設ロープ１８の両端部を連絡し、既設ロープ１８を環状に形成するので、ロープ案内手段に沿ってロープ１８を移動することができる。したがって、既設ロープ１８の両端部２４，２６を最下階１９まで移動させて、そこで既設ロープの環状状態を解除することにより、その場所にて新ロープ７２の供給作業と既設ロープ１８の回収作業を行うことができる。ロープ供給作業を行う場所と既設ロープ回収作業を行う場所が近いので、ロープの自重による取り替え作業の不安定さを軽減できる、また、作業者同士の連絡も取り易い。また、作業場所が最下階であるので作業者の精神的負担も軽くなる。
【００３２】
また、環状に形成した新設ロープ７２をロープ案内手段に沿って、移動させることにより、互いに連絡された新ロープの両端部の接続部８２を梁２８，３０付近に移動することができる。それゆえ、新設ロープの両端部を接続する作業場所は、新設ロープ７２の両端部を取り付ける場所、すなわち梁２８，３０が設けられる場所には左右されず、選ぶことができる。
【００３３】
本実施形態においては、ロープの本数が一本のみの取り替え工程を説明したがロープが複数本ある場合も上記の工程をロープの本数分同時に行うようにすれば、ロープ一本ごとの取り替え方法に比べて大幅に作業時間を短縮できる。尚、本実施例の場合、環状に形成した既設ロープ１８の移動（図２中の矢印、及び図３中一点鎖線線参照。）及び、新ロープ７２の移動（図４中の矢印）に当っては、必ずしも人手を介して行うのではなく、ロープへのテンションを与える（例えば、かご１４の吊りを降ろす、又は後付けした滑車６６，６８を上方向へ持ち上げる等）ことにより、巻上げ機１８を駆動して、ロープを移動させることも可能である。
【００３４】
（２）第二の実施形態
図６は本発明の第二の実施の形態にかかるエレベータロープ取り替え方法を適用する２：１ローピングエレベータかご装置１００におけるローピングの構成を概念的に示した図である。
【００３５】
エレベータかご装置１００は、昇降路１０２内に設けられたエレベータかご１０４、釣り合い重り１０６、ロープ１０８、及び昇降路１０２上方、機械室１１０に設けられた巻上げ機１１２、を含んで構成される。エレベータ使用時にロープ１０８の両端部１１４，１１６は機械室床１１８に設けられるロープ端取付部１２０，１２２にそれぞれ取り付けられ固定される。エレベータかご１０４の上方に滑車１２４が設けられており、また、釣り合い重り１０６は滑車１２６を備えている。
【００３６】
ロープ１０８は、その一方の端部１１４が取り付けられるロープ端取付部１２０から下方に運ばれて、エレベータかご１０４の滑車１２４に巻き掛けられる。その後、上方に運ばれて、機械室１１０に備えられた巻上げ機１１２のシーブ１２８に巻き掛けられた後、返し車１３０により下方に転向される。その後、ロープ１０８は釣り合い重り１０６の滑車１２６に巻き掛けられた後、上方に運ばれて機械室１１０に設けられたロープ端取付部１２２にロープ１０８の他方の端部１１６が取り付けられる。
【００３７】
ロープ両端部１１４，１１６はソケット（図示せず）を介して接続されたロッド１３２，１３４をそれぞれ含んでおり、ロッド１３２，１３４を保持することによりロープ両端部１１４、１１６のそれぞれをロープ端取付部１２０，１２２にそれぞれ取り付ける。
【００３８】
ここでは、複数のロープを同時に取り替える工程を説明するが、図中、例えばロープ１０８を区別する場合、例えば１０８ａ、１０８ｂ等小文字のアルファベットを番号の後に付して、各ロープを区別する。
【００３９】
次に、図６〜図１３にしたがって、ロープ１０８の取り替え作業を説明する。なお、図６〜図１３に共通する構成については同一番号を付す。
【００４０】
まず、図６に示すように、釣り合い重り１０６を釣り合い重り押え１３６により昇降路１０２下方にて固定した後、エレベータかご１０４を最上階１３６付近にてチェーンブロック（図示せず）等で吊り上げる。こうすれば、既設ロープ１０８は緩みが生じた状態となる。
【００４１】
次に、図７に示すように、この状態でロープ端取付け部１２０、１２２下方のロープ１０８を保持するロープ保持具１３９、１４０を設ける。ロープ保持具１３９の一端はエレベータかご１０４のガイドレール（図示せず）に固定され、他端はロープ端部１１４の下方を保持する。また、ロープ保持具１４０の一端は釣り合い重り１０６のガイドレール（図示せず）に固定され、他端はロープ端部１１６の下方を保持する。次に、この状態で、ロープ端取付部１２０，１２２の下方において既設ロープ１０８の両端部１１４、１１６（図７中Ｂ、Ｂ’を参照）をそれぞれ切断して、ロープ端取付け部１２０，１２２から取り外す。
【００４２】
図８に示すように、取り外された既設ロープ１０８の両端部１１４，１１６をダミーロープ１４２にて中継して互いに連絡し、既設ロープ１０８を環状に形成する。１４６は既設ロープの端部１１４とダミーロープ１４２の端部１４４との接続部であり、１５０は既設ロープの端部１１６とダミーロープ１４２の端部１４８との接続部である。ダミーロープ１４２は、既設ロープ１０８を取り替えるために機械室天井１５２に設けられた滑車１５４、１５６を介して既設ロープ１０８に接続される。ダミーロープ１４２は端部１４４側から機械室１１０上方に運ばれて、滑車１５４に巻き掛けられ転向されて、釣り合い重り１０６の上方まで運ばれた後、滑車１５６に巻き掛けられて下方に運ばれて他端部１４８が既設ロープ１０８に接続される。
【００４３】
既設ロープ１０８を環状に形成した後、滑車１５４及び滑車１５６の取付け位置を上方にずらし、既設ロープ１０８を緊張させる（図９中、一点鎖線参照）。
【００４４】
その後、巻上げ機１１２を駆動するか、又は人手を介して接続部１４６、１５０を最下階１５８付近に移動する（図８中、矢印参照）。環状状態の既設ロープ１０８は、補助的に設けられた滑車１５４，１５６、返し車１３０等に案内されて移動する。
【００４５】
接続部１４６，１５０を最下階付近に移動した後、図９に示すように接続部１４６を切り離して既設ロープ１０８の環状状態を解除する。切り離されたダミーロープの端部１４６（図示せず）をエレベータ最下階より一階上の階１５９に設けられたドラム１６０に取り付ける。
【００４６】
次に、図１０に示すように、既設ロープ１６２の端部１１４と新ロープ１６２の端部１６４とを接続する。エレベータ最下階１５８に設けられたドラム１６６には新ロープ１６２が予め巻き掛けられている。ここで、１６８は既設ロープの端部１１４と新設ロープの端部１６４との接続部である。次に、人手を介して新ロープ１６２をドラム１６６より供給しつつ、既設ロープ１０８を端部１１６側からドラム１６０に巻き取り、回収する。（図１０中、矢印参照）。尚、ロープを移動させる手段は、巻上げ機を駆動させてもよいし、人手を介してもよい。
【００４７】
既設ロープ１０８の回収終了後、接続部１６８（図示せず）にて既設ロープ１０８を新ロープ１６２から切り離す。一方、ドラム１６６側にある新ロープ１６２を所望の位置にてドラム１６６に巻かれている新ロープから切り離す。図１１に示すように、切り離された新ロープの端部１７０と端部１６４とを接続し、新ロープ１６２を環状に形成する。なお、１７２は新ロープの両端部１６４、１７０の接続部である。ここでロープ間の接続方式としては、前述にもあるようロープの編み込み固着によるロープ接続方式、ロープストランド接続方式、タフエクセルグリップを使用した接続方式等を使用する。
【００４８】
次に、図１２に示すように、新ロープ１６２の接続部１７２を、巻上げ機１１２を駆動して又は人手を介することにより、新ロープ１６２を移動する。（図１１中、矢印参照）昇降路上方機械室内に移動させる。環状状態の新ロープ１６２は、前述したように補助的に設けられた滑車１５４，１５６、及び返し車１３０等に案内されて移動する。
【００４９】
接続部１７２が移動された後、ロープ端取付け部１２０，１２２の下方において、新ロープ１６２を保持するロープ保持具１３９，１４０を設ける。
【００５０】
その後、図１３に示すように、新ロープ１６２を接続部１７２において切り離し、環状状態を解除する。環状状態を解除した新ロープ１６２の一方の端部１７４にソケットを介してロッド１７６を取り付ける加工処理を施し、新ロープの端部１７４は、ロッド１７６をロープ端取付部１２２に固定することにより、取り付けられる。
【００５１】
次に新ロープの全長を使用時の長さに適宜調整したあと、他方の端部１７８に関しても端部１７４と同様の加工処理を施す。新ロープの端部１７８は、ロッド１８０をロープ端取付部１２０に固定することにより、取り付けられる。
【００５２】
最後にロープ保持具１３９を昇降路１０２内から取り外した後、チェーンブロックによるエレベータかご１０４の吊り上げを解除し、釣り合いおもり押え１３８による釣り合い重り１０６の固定を解除してロープ取り替えの工程を終了する。
【００５３】
このように既設ロープ１０８の両端部を連絡し、既設ロープ１０８を環状に形成するので、ロープ案内手段に沿ってロープ１０８を移動することができる。したがって、既設ロープ１０８の接続部１４６，１５０を最下階付近にまで移動させて、そこで既設ロープの環状状態を解除することにより、最下階にて新ロープ１６２の供給作業を、また最下階より一階上の階にて既設ロープ１０８の回収作業を行うことができる。ロープ供給作業を行う場所と既設ロープ回収作業を行う場所が近いので、作業者同士の連絡が取り易く、また、ロープの自重による取り替え作業の不安定さを軽減できる。また、作業場所が最下階付近であるので作業者の精神的負担も軽くなる。
【００５４】
また、環状に形成した新設ロープ１６２をロープ案内手段に沿って、移動させることにより、互いに連絡された新ロープの両端部の接続部１７２を機械室１１０まで移動することができる。それゆえ、新設ロープの両端部を接続する作業場所は、新設ロープ７２の両端部を取り付ける場所、すなわちロープ端取付け部１２０，１２２が設けられる場所には左右されず、選ぶことができる。
【００５５】
また、ロープ本数だけ並列して処理が可能なので、この方法によれば、ロープ一本ごとのロープ取り替え方法に比べて大幅に作業時間を短縮できる。
【００５６】
【発明の効果】
以上説明したように、本発明にかかるエレベータロープ取り替え方法によれば、新ロープ供給及び旧ロープ回収作業に伴う負担を少なくして、取り替え作業を容易にするロープ取り替え方法を提供することができる。
【図面の簡単な説明】
【図１】  本発明の第一の実施形態に係るロープ取り替え方法を示す図である。
【図２】  本発明の第一の実施形態に係るロープ取り替え方法を示す図である。
【図３】  本発明の第一の実施形態に係るロープ取り替え方法を示す図である。
【図４】  本発明の第一の実施形態に係るロープ取り替え方法を示す図である。
【図５】  本発明の第一の実施形態に係るロープ取り替え方法を示す図である。
【図６】  本発明の第二の実施形態に係るロープ取り替え方法を示す図である。
【図７】  本発明の第二の実施形態に係るロープ取り替え方法を示す図である。
【図８】  本発明の第二の実施形態に係るロープ取り替え方法を示す図である。
【図９】  本発明の第二の実施形態に係るロープ取り替え方法を示す図である。
【図１０】  本発明の第二の実施形態に係るロープ取り替え方法を示す図である。
【図１１】  本発明の第二の実施形態に係るロープ取り替え方法を示す図である。
【図１２】  本発明の第二の実施形態に係るロープ取り替え方法を示す図である。
【図１３】  本発明の第二の実施形態に係るロープ取り替え方法を示す図である。
【符号の説明】
１０，１００  エレベータかご装置、１２，１０２  昇降路、１４，１０４  エレベータかご、１６，１０６  釣り合い重り、１８，１０８  ロープ、１９  エレベータ最下階、２２，１１２  巻上げ機、６２，６４，８２，１４６，１５０，１７２  接続部、１１０  機械室。
【図１】
0004037604.tif 000002
【図２】
0004037604.tif 000003
【図３】
0004037604.tif 000004
【図４】
0004037604.tif 000005
【図５】
0004037604.tif 000006
【図６】
0004037604.tif 000007
【図７】
0004037604.tif 000008
【図８】
0004037604.tif 000009
【図９】
0004037604.tif 000010
【図１０】
0004037604.tif 000011
【図１１】
0004037604.tif 000012
【図１２】
0004037604.tif 000013
【図１３】
0004037604.tif 000014